(57)【特許請求の範囲】
【請求項１】
上下長手の左右サイドフレームとそれらの上端に繋がったアッパーフレームとを有する強度メンバーとしてのバックフレームと、前記バックフレームに前から重なる体圧支持体とを有しており、前記体圧支持体の左右側部と前記バックフレームのサイドフレームとに、前記体圧支持体を下向き移動させることで互いに噛み合って前記体圧支持体を前記バックフレームにて前向き離反不能に保持する係合手段が設けられている一方、
前記バックフレームのアッパーフレームは、上面板と下面板との間に前向きに開口の横長溝が形成された部分を有しており、前記体圧支持体の上端部に、前記横長溝に手前から入り込むストッパー片を設けており、前記ストッパー片が前記バックフレームにおけるアッパーフレームの上面板に下方から当たることで、前記体圧支持体の上向き動が阻止されている、
椅子の背もたれ。
【請求項２】
前記体圧支持体の上端部に、前記バックフレームの横長溝に入り込む下向き鉤状の上係合爪を設けている一方、前記バックフレームの下面板には、前記上係合爪が上から係合する上係合穴を下方に開口した状態に設けている、
請求項１に記載した椅子の背もたれ。
【請求項３】
前記上係合爪は前記ストッパー片の下方に配置されている、
請求項２に記載した椅子の背もたれ。
【発明の詳細な説明】
【技術分野】
【０００１】
本願発明は、椅子の背もたれに関する。
【背景技術】
【０００２】
椅子の背もたれとして、外周部を構成する強度メンバーとしてのバックフレームと、このバックフレームの前に配置された背板とを有する構成として、背板をバックフレームに取り付けたものがある。その一例が特許文献１に開示されている。
【０００３】
すなわち特許文献１では、背板はバックフレーム（背凭れフレーム）との間に間隔を空けた状態で配置されており、バックフレームにおける左右縦フレームの上部前面に上向きに突出した軸部を一体に設ける一方、背板の左右側部の上部には縦フレームの軸部に上から嵌まる雌形の係合部を設け、更に、バックフレームのうち下寄り部位には平面視で前向きに開口のＣ字形溝を有する係合片を形成して、背板に設けた上下長手の軸体を係合片に押し込み装着するようになっている。
【先行技術文献】
【特許文献】
【０００４】
【特許文献１】特開２００８−１１９２２０号公報
【発明の概要】
【発明が解決しようとする課題】
【０００５】
特許文献１は、背板を上下２カ所でバックフレームに連結するにおいて、上部の連結は背板の下向き移動で嵌め合うことで背板を前後左右に移動不能に保持する一方、下部の連結は、背板をバックフレームに強く押し当てて係合片を弾性変形させることにより、軸体を係合片で抱持させるものである。
【０００６】
しかし、特許文献１の構成は、背板の上部がバックフレームから前側に離反することはないが、背板の下部をある程度の力で手前に引くと軸体と係合片との嵌合状態を解除できるため、例えば、背板の下部を後ろから人が押したり、椅子を後ろ向きに移動させるに際して背板の下部が物に当たったりすると、背板の下部がバックフレームから外れてしまうおそれがある。
【０００７】
本願発明はこのような現状に鑑み成されたものであり、バックフレームに体圧支持体を取付けてなる背もたれを、より改良された形態で提供せんとするものである。
【課題を解決するための手段】
【０００８】
本願発明に係る背もたれは、上下長手の左右サイドフレームとそれらの上端に繋がったアッパーフレームとを有する強度メンバーとしてのバックフレームと、前記バックフレームに前から重なる体圧支持体とを有しており、前記体圧支持体の左右側部と前記バックフレームのサイドフレームとに、前記体圧支持体を下向き移動させることで互いに噛み合って前記体圧支持体を前記バックフレームにて前向き離反不能に保持する係合手段が設けられている一方、
前記バックフレームのアッパーフレームは、上面板と下面板との間に前向きに開口の横長溝が形成された部分を有しており、前記体圧支持体の上端部に、前記横長溝に手前から入り込むストッパー片を設けており、前記ストッパー片が前記バックフレームにおけるアッパーフレームの上面板に下方から当たることで、前記体圧支持体の上向き動が阻止されている。
【０００９】
請求項２の発明は、請求項１において、前記体圧支持体の上端部に、前記バックフレームの横長溝に入り込む下向き鉤状の上係合爪を設けている一方、前記バックフレームの下面板には、前記上係合爪が上から係合する上係合穴を下方に開口した状態に設けている。
【００１０】
請求項３の発明は、請求項２において、前記上係合爪は前記ストッパー片の下方に配置されている。
【発明の効果】
【００１１】
請求項１では、背板のような体圧支持体は係合手段によってバックフレームから前向き移動不能に保持されていると共に、ストッパー片と上面板とからなるストッパー手段によって上下動不能に保持されているため、体圧支持体に後ろから外力が作用しても体圧支持体が外れるような不具合はない。
【００１２】
【図面の簡単な説明】
【００１３】
【図１】実施形態に係る椅子の外観図で、（Ａ）は斜視図、（Ｂ）は側面図である。
【図２】椅子を上方から見た斜視図である。
【図３】（Ａ）（Ｂ）とも分離斜視図である。
【図４】背板を裏返してバックフレームと並べた部分斜視図である。
【図５】図４の部分拡大図である。
【図６】図５の部分的な拡大図である。
【図７】図４の上部の部分拡大図である。
【図８】（Ａ）はバックフレームの部分的な拡大図、（Ｂ）は背もたれの部分的な平面図である。
【図９】背板の下側部の斜視図である。
【図１０】（Ａ）はメッシュ式表皮材の取付けを説明するための分離平面図、（Ｂ）はアッパーフレームの破断斜視図、（Ｂ）はロアフレームの破断斜視図である。
【図１１】（Ａ）は背板とメッシュ式表皮材との分離背面図、（Ｂ）は（Ａ）のＢ−Ｂ視断面図、（Ｃ）は（Ａ）のＣ−Ｃ視断面図、（Ｄ）は（Ａ）のＤ−Ｄ視断面図、（Ｅ）は（Ａ）のＥ−Ｅ視断面図である。
【図１２】（Ａ）はメッシュ式表皮材の張り状態を説明するための縦断側面図、（Ｂ）は背もたれを図７（Ａ）のXIIB-XIIB 視箇所で切断した側断面図、（Ｃ）は背もたれを図７（Ａ）の XIIC-XIIC視箇所で切断した側断面図である。
【図１３】（Ａ）は背もたれを図５の XIIIA-XIIIA視箇所で切断した平断面図、（Ｂ）は背もたれを図５の XIIIB-XIIIB視箇所で切断した平断面図、（Ｃ）は（Ａ）は背もたれを図５の XIIIC-XIIIC視箇所で切断した平断面図である。
【発明を実施するための形態】
【００１４】
次に、本願発明の実施形態を図面に基づいて説明する。本実施形態は、事務用に多用されている回転椅子に適用している。以下の説明では方向を特定するため前後・左右の文言を使用するが、これは、椅子に普通に着座者した人を基準にして、着座者が向いた方向を前として定義している。正面視方向は着座者と相対向した方向であり、背面視方向は着座者を後ろから見た方向である。
【００１５】
(1).概略
図１，２に示すように、椅子は、脚支柱（ガスシリンダ）１のみを表示した脚装置、脚支柱１の状態に固定したベース２、ベース２の上方に配置した座３、座３の後ろに配置された背もたれ４を有している。
【００１６】
背もたれ４は、ベース２に後傾動可能に連結されたバックフレーム５と、体圧支持体の一例としてバックフレーム５の前面に取り付けた背板６（インナーシェル）とを強度メンバーとしており、図１（Ａ）に示すように、背板６の前面にメッシュ式表皮材７を張っている。
【００１７】
図３に示すように、バックフレーム５は、その左右側部を構成する上下長手の左右サイドフレーム８と、左右サイドフレーム８の上端に繋がった横長のアッパーフレーム９と、左右サイドフレーム８の下端に繋がった左右長手のロアフレーム１０とを有しており、全体として略四角形で前後に開口した枠状になっている。更に、左右サイドフレーム８の下端には、ベース２の左右外面に向けて前向きに延びるサイドアーム１１が一体に形成されている。
【００１８】
バックフレーム５は、ポリプロピレンやナイロン樹脂のような合成樹脂を材料にした成形品を使用しているが、アルミダイキャスト品を採用することも可能である。また、例えばサイドアーム１１を別部材にするなど、複数の部材で構成することも可能である。
【００１９】
例えば図８に明示するように、バックフレーム５を構成するアッパーフレーム９は、その左右側部だけに背板６が取り付くように平面視で大きく前向き開口した状態に形成されている。換言すると、バックフレーム５のアッパーフレーム９と背板６との間に横長の上空間１３が空いている。従って、背板６の上部には、後ろから視認できる上露出部６ａ（図２参照）が存在している。このため、人がバックフレーム５のアッパーフレーム９を掴むことができると共に、背板６の上端部が弾性変形することも可能になっている。
【００２０】
図１（Ｂ）や図２に明示するように、バックフレーム５のサイドフレーム８は、着座者の腰よりやや高い位置の部分が最も前となるように側面視で前向き突形に屈曲している。換言すると、バックフレーム５のサイドフレーム８は側面視でくの字形に屈曲しており、このためサイドフレーム８は頂点部１４を有している。
【００２１】
背板６のうちバックフレーム５の頂点部１４よりも下方の部位は、バックフレーム５に取り付いておらず片持ち梁の状態になっている。換言すると、背板６のうちバックフレーム５の頂点部１７よりも下方の部位はオーバーハングしている。従って、図１に示すように、背板６の下部は後ろからも視認できる下露出部６ｂになっている。
【００２２】
また、図１に示すように、バックフレーム５のサイドフレーム８は、着座者が凭れ掛かっていないニュートラル状態で頂点部１４よりも上の部分は後傾姿勢になって、頂点部１４より下方の部分は前傾姿勢になっている。
【００２３】
(2).背板及びバックフレーム
次に、背板６とバックフレーム５の構造を説明する。メッシュ式表皮材７の取付け構造は、背板６及びバックフレーム５の構造を説明してから述べる。
【００２４】
背板６はポリプロピレンのような合成樹脂製を材料にした成形品であり、図３に示すように、上下長手の左右のサイドメンバー１６と、サイドメンバー１６の上端間に一体に繋がったアッパーメンバー１７と、左右サイドメンバー１６の下端に一体に繋がったロアメンバー１８とで略四角形の外形を構成し、更に、その内部には、左右サイドメンバー１６に繋がった横長サポート板１９が多段に配置されている。
【００２５】
例えば図４に示すように、バックフレーム５におけるサイドフレーム８のうち背板６が重なる支持部は前向きに開口した溝形になっている。すなわち、サイドフレーム８の支持部にはその全長にわたって延びる縦長溝２０が形成されている。アッパーフレーム９のうち背板６のアッパーメンバー１７と重なる支持部も前向き開口の溝形になっている。他方、背板６の各メンバー１６，１７，１８は後ろ向きに開口した溝形になっている。
【００２６】
そして、図１３に示すように、サイドフレーム８とサイドメンバー１６とは前後方向から重なっている。サイドフレーム８の背部２１は平面視で外側に行くほど前に出るように緩く湾曲しており、これに内壁２２と外壁２３とを設けることで縦長溝２０を形成している。サイドフレーム８の背部２１は、内壁２２よりも内側にはみ出ている。背板６のサイドメンバー１６前向き凹状に緩く湾曲しており、これに、サイドフレーム８の内壁２２に向けて延びる内向きリブ２４を形成することにより、後ろ向きに開口した浅い溝が形成されている。
【００２７】
サイドフレーム８の内壁２２とサイドメンバー１６の内向きリブ２４とには、互いに噛み合う内側段部２５を形成している。このように内側段部２５が互いに噛み合っていることにより、背板６は内向きずれ不能に保持されている。サイドフレーム８の内壁２２と背板６の内側段部２５との間には、スリット状の隙間が空いている。
【００２８】
このため、表皮材の厚さが相違してもその厚さを吸収できる。また、サイドフレーム８の内壁２２と背板６の内向きリブ２４とがこすれ合って粉が発生する可能性があるが、仮に粉が発生しても粉は上記の隙間部に付着するため外部から視認できず、このため美感低下を防止できる。
【００２９】
サイドフレーム８の内側段部２５と背板６の内向きリブ２４とは、表皮材７を介して当接するようになっている。このため背板６はサイドフレーム８に対する前後位置が正確に規定されている。
【００３０】
サイドフレーム８の外壁２３は、細巾のリブ状になっていて背部２２の外端よりも内側にずれて形成されている。このため、外壁２３の外側には外側段部２６が形成されている。サイドフレーム８の外壁２３とサイドメンバー１６との間には、若干の空間が空いている。
【００３１】
例えば図４に示すように、背板６におけるサイドメンバー１６の内面には、上下長手で板状の雄形嵌合部２７が上下離れて３個形成されている。他方、サイドフレーム８の縦長溝２０には、背板６の雄形嵌合部２７を左右から挟む２枚のリブより成る雌形嵌合部２８が３対形成されている。なお、サイドメンバー１６に雌形嵌合部２８を形成して、サイドフレーム８に雄形嵌合部２７を形成してもよい。
【００３２】
これら雌雄嵌合部２７，２８が嵌まり合うことにより、サイドフレーム８とサイドメンバー１６とは左右ずれ不能に保持されている。このため、ロッキングに際してサイドメンバー１６がサイドフレーム８に対して内向きにずれ移動することはなく、ロッキング時にサイドメンバー１６の外側部とサイドフレーム８の外側部とが広がるようなことはない。また、サイドフレーム８とサイドメンバー１６とが一体化したような状態になって、背もたれ４の全体の剛性が高くなっている。
【００３３】
雌雄嵌合部２７，２８は前後に密着した状態で嵌合しており、このため雌雄嵌合部２７，２８は、サイドフレーム８とサイドメンバー１６との前後位置を規制する位置決め手段の役割も果たして構成している。
【００３４】
図４，５に示すように、背板６におけるサイドメンバー１６の溝内には、側面視で下向き鉤形の第１係合爪３０が上下に離反して２個形成されている一方、バックフレーム５のサイドフレーム８には、第１係合爪３０と噛み合う上向き鉤形の第２係合爪３１が上下に離反して２個形成されている。これら係合爪３０，３1 は請求項に記載した係合手段の具体例であり、これらの噛み合いにより、背板６はバックフレーム５に対して前向き移動不能に保持されている。
【００３５】
例えば図５に示すように、サイドフレーム８のうち側面視で前向き突出した頂点部１４の箇所には仕切り板３２が形成されており、縦長溝２０は仕切り板３２で上下に分断された状態になっている。そして、縦長溝２０のうち仕切り板３２のすぐ上の箇所の内側面に、上面３３ａが側面視で上に行くほど前に傾斜した下ガイド部３３を形成している一方、背板６におけるサイドメンバー１６には、下ガイド部３３と内壁２２との間に入り込む下部突起３４を形成し、下部突起３４に、下ガイド部３３の傾斜面に重なり合う横向きストッパー３４ａを設けている。
【００３６】
サイドフレーム８のうち下ガイド体３３の箇所の空間と、背板６のアッパーメンバー１７に設けた下部突起３４とにより、位置決め手段が構成されている。大まかに述べると、縦長溝２０のうち仕切り板３２の上側の部分が位置決め手段として機能しているともいえる。
【００３７】
背板６を、その上部がバックフレーム５から大きく離れるように手前に傾けることにより、横向きストッパー３４ａを下ガイド部３３の内側に嵌め込むことができる。サイドメンバー１６には、下部突起３４に繋がった状態で上に延びる下部位置決め突起３５を設けている。下部位置決め突起３５は、サイドフレーム８における縦長溝２０の底面に近接している（当接させてもよい。）。
【００３８】
従って、下部位置決め突起３５は、サイドフレーム８とサイドメンバー１６との前後位置及び左右位置を規制するストッパーの役目も果たしている。従って、背板６の下部位置決め突起３５とサイドフレーム８の長溝２０とも、位置決め手段を構成している。下部位置決め突起３５は縦リブと多数の横リブとが交叉した形態を成しており、下部突起３４と縦長溝２０の内側面とには空間が空いている。
【００３９】
例えば図４〜７に示すように、背板６のサイドメンバー１６には、表皮材を取付けるためのボス３６が上下適宜間隔で複数個後ろ向き突設されている。ボス３６は先端に行くほど外径が小さくなる台錘状に形成されている。他方、サイドフレーム８の縦長溝２０には、サイドメンバー１６のボス３６が当接する受け部３７を形成している（図１３（Ｂ）も参照）。
【００４０】
従って、ボス３６及び受け部３７も、サイドフレーム８とサイドメンバー１６との前後位置を規制する着せ手段の役目を果たしている。図１１に示すように、ボス部３６は、背板６のサイドフレーム８とアッパーフレーム９との連接箇所にも形成している。
【００４１】
例えば図４から容易に理解できるように、縦長溝２０は、アッパーフレーム９の左右側部に形成した横長溝３８に連続している。アッパーフレーム９には、上空間１３の左右端面を構成する押さえ部３９が形成されており、押さえ部３９よりも外側に横長溝３８が開口している。押さえ部３９には前向きの補助リブ４０が形成されており、更に、補助リブ４０にサイドフレーム８の内壁２２と連続する下面板４１が形成されており、下面板４１に上係合穴４２が空いている。
【００４２】
他方、背板６のアッパーメンバー１７には、上係合穴４２に上から嵌まり係合する下向き鉤状の上係合爪４３が形成されている。また、アッパーメンバー１７のうち上係合爪４３の内側にはサイド仕切り板４４が形成されている。サイド仕切り板４４は、アッパーフレーム９における補助リブ４０の外端部に載るように設定されている。サイド仕切り板４４には、ストッパー手段の一環として、上係合爪４３の上方に位置するストッパー片４４ａを設けている。
【００４３】
図１２（Ｃ）から理解できるように、ストッパー片４４ａはアッパーフレーム９の上面板９ａに下方から当接可能になっている。従って、アッパーフレーム９の上面板９ａもストッパー手段の一環を成している。
【００４４】
図１０（Ｂ）や図１２（Ａ）に示すように、アッパーメンバー１７の前面は上に行くに従って後ろにずれるように湾曲しており、このアッパーメンバー１７の背面には、３段のリブを形成することで上横溝４５と下横溝４６とが形成されている。図８に明示するように、上下の横溝４５，４６は左右サイド仕切り板４４の間に形成されている。
【００４５】
例えば図４から推測できるように、アッパーメンバー１７のサイド仕切り板４４は、アッパーフレーム９における押さえ部３９の外側面の箇所に位置している。従って、図１５（Ｂ）にも示すように、アッパーメンバー１７における上下横溝４５，４６の左右端部は押さえ部３９の手前に位置している。
【００４６】
図１０（Ｃ）に示すように、背板６のロアメンバー１８は後ろ向きに開口した断面略つ字形を成しており、上部内面には段部を形成している。また、左右中間部と左右両側部とには前後に開口した下係合穴４７が形成されており、係合穴４７の箇所に下突起４８を上向き突設している。
【００４７】
図９に示すように、背板６におけるサイドメンバー１６のうち下部突起３４よりも下方の部位（すなわち、サイドメンバー１６の露出部１６ａ）にも縦長溝２０が形成されており、この露出部１６ａの縦長溝２０に内向き鉤形の鉤形ボス５０を突設している。また、露出部１６ａの縦長溝２０には支持リブ５１を適宜間隔で複数形成している。
【００４８】
背板６の取り付けは次の手順で行う。すなわち、まず、図５から理解できるように、背板６を手前に倒した姿勢にして、下部突起３４をサイドフレーム８の下ガイド部３３の上に嵌め込み、そのまま下にずらすことで、横向きストッパー３４ａを下ガイド部３３の傾斜面に当接させる。これにより、背板６はバックフレーム５に対して左右にずれない状態に保持される。
【００４９】
次いで、背板６を、その下端部を支点にして後ろに倒して若干持ち上げ気味にしてバックフレーム５に押圧することによって雌雄嵌合部２７，２８を嵌め合わせ、それから背板６を下向きにずらすことにより、第１係合爪３０と第２係合爪３１とを噛み合わせる。
【００５０】
第１係合爪３０と第２係合爪３１との噛み合わせは、背板６の上端を若干手前に起こした状態で行い、両係合爪３０，３１が噛み合い切るまでは、ストッパー片４４ａの先端はアッパーフレーム９の上面板９ａに前から弾性に抗して当接している。
【００５１】
そして、第１係合爪３０と第２係合爪３１とが噛み合い切ると、上係合爪４３が上係合穴４２に嵌まり込むと共に、ストッパー片４４ａがアッパーフレーム９における上面板９ａの下方に入り込み（横長溝３８に嵌まり込み）、これにより、背板６はバックフレーム５に対して上下左右及び前後にずれ不能に保持される。このように、ごく簡単な手順で背板６をバックフレーム５に取り付けることができる。
【００５２】
なお、背板６の下ガイド部３３をサイドフレーム８にセットしてから、背板６を、その下端を支点にして前に倒すことで背板６をバックフレーム５に押さえ込み、これによって係合爪３０，３１を噛み合わせることも可能である。両係合爪３０，３１の前面には互いの噛み合いを可能にする傾斜面を形成している。この方法を採用すると組み立ては一層簡単になる。
【００５３】
(3).メッシュ式表皮材７の取付け構造
次に、メッシュ式表皮材７の取付構造を説明する。メッシュ式表皮材７はその外周に固定されたテープ片によって背板６に取付けられる。すなわち、図１０，１１に示すように、メッシュ式表皮材７には、サイドメンバー１６のうち露出部１６ａの上方の部位に裏から重なる第１サイドテープ片５３と、サイドメンバー１６の露出部１６ａに裏から重なる第２サイドテープ片５４と、背板６の上部のコーナー部に裏から重なるコーナーテープ片５５と、コーナーテープ片５５の間においてアッパーメンバー１７に裏から重なるアッパーテープ片５６と、背板６のロアメンバー１８に裏から重なるロアテープ片５７とが逢着や接着によって固定されている。
【００５４】
各テープ片はポリプロピレンのような樹脂シートを使用しているが、他の素材を使用することも可能である。コーナーテープ片５５は、第１サイドテープ片５３に一体に連結することも可能である。また、サイドテープ片５３，５４とコーナーテープ片５５とを一連に連続したものを使用して、メッシュ式表皮材７に逢着してから切り込みを入れて独立化することも可能である。
【００５５】
第１サイドテープ片５３には、サイドメンバー１６のボス３６に嵌まる第１取付け穴５８が形成されており、図１３に示すように、第１サイドテープ片５３は、外側からサイドメンバー１６とサイドフレーム８との間に入り込んで、ボス３６に嵌め込まれている。第１サイドテープ片５３はサイドメンバー１６に向いており、このため、外側からはメッシュ式表皮材７しか見えない。また、メッシュ式表皮材７にはアッパーフレーム９の外壁２３が当接しており、このため、サイドフレーム８の内部（縦長溝２０）が見えることはない。このため美感に優れている。
【００５６】
なお、背板６は樹脂で製造されるが、塗装することがある。この場合、縦長溝２０の内部まで塗装するのは面倒である。この点、本実施形態のように外壁２３で縦長溝２０の内部が見えない構成を採用すると、内部は塗装せずに外部のみ塗装したら足りるため、塗装に要するコストを抑制できる。
【００５７】
図１０，１１に示すように、第１サイドテープ片５３には、サイドフレーム８とサイドメンバー１６との連結部の邪魔にならないように切欠き５９を形成している。
【００５８】
第２サイド縁部材５４は切欠きが存在しない帯状の形態を成しており、図９に部分的に示すように、背板６のサイドメンバー１６における露出部１６ａには、内側段部１６ｃと外側段部１６ｄとが形成されており、第２サイド縁部材５４は、内側段部１６ｃと外側段部１６ｄとの間の空所に嵌め込まれている。このため、その巾方向にずれ不能に保持されている。第２サイド縁部材５４も取付け穴５８を有しており、これを鉤形ボス５０に嵌め込んでいる。
【００５９】
また、第２サイドテープ片５４も取付け穴５８を有しており、これを鉤形ボス５０に嵌め込んでいる。鉤形ボス５０は内向きの鉤形であるため、第２サイドテープ片５４が外れることはない。第２サイドテープ片５４もサイドメンバー１６に重なっており、外から視認されることはない。
【００６０】
コーナー縁部材５５も、ボス３６に嵌まることで抜け不能に保持されている。コーナー縁部材５３は、背板６のコーナー部に合わせて斜め外向きに凸のカーブした外形を有するが、図１１では、コーナー縁部材５５は内向き凸の姿勢に表示している。裏側に折り返して背板６に取付けると、外向きの凸の姿勢になる。コーナー縁部材５５の内端部は細巾になっており、図１２（Ｃ）に示すように、サイド仕切り板４４に連接したストッパー片４４ａの上側に配置されている。
【００６１】
図１２（Ａ）に示すように、アッパーテープ片５６は、アッパーメンバー１７の上横溝４５に後ろから嵌入している。アッパーテープ片５６は上横溝４５の上面に重なっており、従って、アッパーテープ片５６が外に露出することはない。アッパーテープ片５６の左右両端はサイド仕切り板４４まで延びている。そして、図１２（Ｂ）に示すように、アッパーテープ片５６の左右端部は、アッパーフレーム９に設けた押さえ部３９で後ろ向き移動不能に保持されている。このため、アッパーテープ片５６は、上横溝４５に嵌め込んだだけであっても抜け不能に保持されている。
【００６２】
図１２（Ｂ）に示すように、ロアテープ片５７はロアメンバー１８を後ろから塞ぐように配置されており、左右中間部と左右側部との３カ所に、ロアメンバー１８の下係合穴４７に嵌入するつ形の係合爪６１を形成しており、係合爪６１を係合穴４７の下突起４８に前から引っ掛けている。これによって、ロアテープ片５７はロアメンバー１８に離脱不能に保持されている。
【００６３】
背板６へのメッシュ式表皮材７の取り付けは、まず、左右のサイドテープ片５３，５４を装着し、次いで、ロアテープ片５７を装着し、最後にアッパーテープ片５６を装着する、という手順で行われる。このようにしてメッシュ式表皮材７が装着された背板６を、バックフレーム５に取り付ける。バックフレーム５への取付けに際して、メッシュ式表皮材７の周縁部はバックフレーム５に当接して多少伸び変形する。
【００６４】
本実施形態では、サイドフレーム８の長溝２０に係合爪３０，３１等の係合手段や位置決め手段が配置されているため、連結構造が外部に露出せずに美感に優れている。なお、背板６にはクッション材を張ることも可能であるが、本願発明との関連は薄いので説明は省略する。
【００６５】
(5).その他
本願発明は上記の各実施形態の他にも様々に具体化できる。例えば、背板は単なる板状（シェル状）の形態であってもよい。体圧支持体は必ずしも背板である必要はなく、例えば、前後に開口したフレーム材にメッシュ状のサポートシートを張った構造でもよい。
【００６６】
係合手段としては係合爪と係合穴との組み合わせなど、様々の態様を選択できる。ストッパー手段も、例えば係合爪同士の噛み合わせなどを採用することも可能である。
【産業上の利用可能性】
【００６７】
本願発明は椅子に適用して有用性を発揮する。よって、産業上利用できる。
【符号の説明】
【００６８】
４  背もたれ
５  バックフレーム
６  体圧支持体の一例として背板
８  サイドフレーム
９  アッパーフレーム
９ａ  バックフレームのアッパーフレームでストッパー手段を兼用する上面板
１６  背板のサイドメンバー
１７  背板のアッパーメンバー
２０  縦長溝
２７  雄形嵌合部
２８  雌形嵌合部
３０，３１  係合手段の一例としての係合爪
３８  横長溝
４１  下面板
４２  上係合穴
４３  上係合爪
４４ａ  ストッパー手段として背板のアッパーメンバーに設けたストッパー片
【図１】
0005611567.tif 000002
【図２】
0005611567.tif 000003
【図３】
0005611567.tif 000004
【図４】
0005611567.tif 000005
【図５】
0005611567.tif 000006
【図６】
0005611567.tif 000007
【図７】
0005611567.tif 000008
【図８】
0005611567.tif 000009
【図９】
0005611567.tif 000010
【図１０】
0005611567.tif 000011
【図１１】
0005611567.tif 000012
【図１２】
0005611567.tif 000013
【図１３】
0005611567.tif 000014